(57)【要約】【課題】既存の標識の筐体を利用しつつ、発光源のみを交換することによって、玉切れの問題を解消し、メンテナンスを不要（メンテナンスフリー）とし、消費電力の削減を図ることが可能な発光源を提供する。【解決手段】内照式標識の代替ＬＥＤ発光源であって、円形導光板１０が半径の略３分の１の半径の円で中央部がくりぬかれた中央窓部１２を有しており、その外側の導光板部分に１つの同心円に接する向きにくりぬかれた、複数の長方形の発光源収納窓部１４を有する前記円形導光板と、前記発光源収納窓部に収納保持され、導光板の中央側に向けて設置された第１のＬＥＤアレイ１６ａと、導光板の外周側に向けて設置された第２のＬＥＤアレイ１６ｂとを有し、前記円形導光板の裏面に反射シートを有することを特徴とする内照式標識の代替ＬＥＤ発光源によって、上記の目的を達成する。【選択図】図１
2006144483.tif 000002
【特許請求の範囲】
【請求項１】
筐体内に蛍光管やネオン管を設置し、前記筐体の前面に設置した表示板を内側より照射する内照式標識の代替ＬＥＤ発光源であって、
円形導光板が半径の略３分の１の半径の円で中央部がくりぬかれた中央窓部を有しており、その外側の導光板部分に１つの同心円に接する向きにくりぬかれた、複数の長方形の発光源収納窓部を有する前記円形導光板と、
前記発光源収納窓部に収納保持され、導光板の中央側に向けて設置された第１のＬＥＤアレイと、導光板の外周側に向けて設置された第２のＬＥＤアレイとを有し、
前記円形導光板の裏面に反射シートを有すること
を特徴とする内照式標識の代替ＬＥＤ発光源。
【発明の詳細な説明】
【技術分野】
【０００１】
本発明は、内部に光源を有する内照式標識に関し、さらに詳しくは、従来、内照式標識の光源として多用されていた蛍光管やネオン管の代替品として使用可能な代替ＬＥＤ発光源に関するものである。
【背景技術】
【０００２】
従来より、屋外で使用される交通標識などの照明方式としては、蛍光管やネオン管などの光源を標識の内部に備え、標識の内側から表示面を照らす内照式の照明方式が多用されている。図５は、従来の蛍光管を使用した内照式標識１００の表示面１１０を外した状態での斜視図であり、筐体１２０の中央に蛍光管１３０が装着されている（例えば、特許文献１参照）。
【特許文献１】特開２００２−６９９４６号公報（第２頁、第１０図）
【発明の開示】
【発明が解決しようとする課題】
【０００３】
ところが、上述したような蛍光管やネオン管などを用いた従来の内照式照明方式では、１）振動や衝撃が加わったり、劣化等によりネオン管や蛍光管内の結線やフィラメントが断線し使用不能となるいわゆる「玉切れの問題」、２）寿命が短く、定期的な保守点検、交換作業を必要とする「メンテナンスの問題」、３）放電現象を利用した発光であるため多くの電力を必要とする「消費電力の問題」、４）ネオン管や蛍光管の他にスタータランプや変圧器、安定器等の付属装置を必要とする「装置構成の複雑化」などの問題点が指摘されていた。
【０００４】
一方、ネオン管や蛍光管の寿命に比べて、標識を構成する筐体の寿命は長いため、既存の筐体を利用しつつ、上記の問題を解決することが嘱望されていた。
【０００５】
そこで、本発明の目的は、既存の標識の筐体を利用しつつ、発光源のみを交換することによって、玉切れの問題を解消し、メンテナンスを不要（メンテナンスフリー）とし、消費電力の削減を図ることが可能な発光源を提供することにある。
【課題を解決するための手段】
【０００６】
上記目的を達成するため、本発明は、筐体内に蛍光管やネオン管を設置し、前記筐体の前面に設置した表示板を内側より照射する内照式標識の代替ＬＥＤ発光源であって、円形導光板が半径の略３分の１の半径の円で中央部がくりぬかれた中央窓部を有しており、その外側の導光板部分に１つの同心円に接する向きにくりぬかれた、複数の長方形の発光源収納窓部を有する前記円形導光板と、前記発光源収納窓部に収納保持され、導光板の中央側に向けて設置された第１のＬＥＤアレイと導光板の外周側に向けて設置された第２のＬＥＤアレイとを有し、前記円形導光板の裏面に反射シートを有することを特徴としている。
【発明の効果】
【０００７】
本発明によれば、筐体内に蛍光管やネオン管を設置し、前記筐体の前面に設置した表示板を内側より照射する内照式標識の代替ＬＥＤ発光源であって、円形導光板が半径の略３分の１の半径の円で中央部がくりぬかれた中央窓部を有しており、その外側の導光板部分に１つの同心円に接する向きにくりぬかれた、複数の長方形の発光源収納窓部を有する前記円形導光板と、前記発光源収納窓部に収納保持され、導光板の中央側に向けて設置された第１のＬＥＤアレイと導光板の外周側に向けて設置された第２のＬＥＤアレイとを有し、前記円形導光板の裏面に反射シートを有する構成にしているため、円形導光板の中央にくりぬかれた円形の中央窓部の側面から第１のＬＥＤアレイからの光が出光し、円形導光板の中央部が明るく照射される。また、第２のＬＥＤアレイから出光した光は、図４（ａ）に示すように、直線的に円形導光板に入り、外周側面から出光する際には、円形導光板の円周に沿って、拡散して出光される。そのため、図４（ｂ）のようにＬＥＤアレイによって、直接、筐体を照らす場合に比べて広い領域を照射でき、しかも、ＬＥＤの光線によって生じる明暗の差を減少させることができる。そのため、輝度むらを低減でき、筐体側面を満遍なく照射することができる。
【０００８】
したがって、従来の内照式標識の発光源であった蛍光管やネオン管に代えて、既存の筐体内に装着することによって、玉切れの問題を解消し、メンテナンスを不要（メンテナンスフリー）とし、消費電力の削減を図ることが可能となる。
【発明を実施するための最良の形態】
【０００９】
本発明の実施の形態について、図１乃至図３に基づいて説明する。図１は、本発明の代替ＬＥＤ発光源の正面図であり、図２は、図１に示した代替ＬＥＤ発光源を２−２線で切断したときの断面図である。図３は、蛍光管を使用する既存の内照式標識の発光源である蛍光管を取り外し、本発明による代替ＬＥＤ発光源を取り付けた場合の断面図である。
【００１０】
本発明の代替ＬＥＤ発光源は、図１及び図２に示すように、円形導光板１０が半径の略３分の１の半径の円で中央部がくりぬかれた中央窓部１２を有すると共に、その外側の導光板部分に１つの同心円に接する向きにくりぬかれた、複数の長方形の発光源収納窓部１４を有している。そして、発光源収納窓部１４に収納保持され、円形導光板１０の中央側に向けて設置された第１のＬＥＤアレイ１６ａと、円形導光板１０の外周側に向けて設置された第２のＬＥＤアレイ１６ｂとを有し、且つ、円形導光板１０の裏面に反射シート１８を有している。
【００１１】
図３において、符号１０は、本発明による代替ＬＥＤ発光源の円形導光板である。符号２０は、既存の内照式標識の筐体であり、符号３０は、筐体２０の前面に設置された表示板を示している。円形導光板１０は、既存の円形蛍光管（サークライン）と略同じ大きさを有しており、支柱２２によって、筐体２０に固定されている。筐体２０の内側は、白色の塗装が施してあり、ＬＥＤ（発光ダイオード）から放たれた光を反射させて、効率よく表示板３０を照射している。
【００１２】
上述した、ＬＥＤ（発光ダイオード）アレイを発光源収納窓部１４に取り付ける方法については、特に限定されるものではないが、図１に示すように、発光源収納窓部１４の短辺側に溝部１０ａ、１０ｂを設けＬＥＤ（発光ダイオード）アレイを構成するエポキシ樹脂基板の両側部を係合させることにより、特別の保持部材を用いることなくＬＥＤ（発光ダイオード）アレイを発光源収納窓部１４の長辺に対峙して固定することができるため好ましい。
【００１３】
なお、上記の実施例においては、発光源収納窓部１４を４つ設けているが、発光源収納窓部１４の数は、４つに限られるわけではなく、３つあるいは、５つ以上など円形導光板の大きさに応じて選択することが可能である。
【産業上の利用可能性】
【００１４】
本発明による内照式標識の代替ＬＥＤ発光源によれば、これまで使われていた蛍光管やネオン管に代えて、取り付けるだけで、既存の内照式標識の玉切れの問題を解消し、メンテナンスを不要（メンテナンスフリー）とし、消費電力の削減を図ることができ、しかも、既存の内照式標識の筐体をそのまま利用可能である等、その産業上の利用可能性はきわめて高い。
【図面の簡単な説明】
【００１５】
【図１】本発明の一実施例である代替ＬＥＤ発光源の正面図である。
【図２】図１に示した代替ＬＥＤ発光源の２−２線における断面図である。
【図３】図１に示した代替ＬＥＤ発光源を既存の内照式標識の筐体に装備した時の断面図である。
【図４】本発明により筐体側面を照射した場合（ａ）と、ＬＥＤアレイにより直接筐体側面を照射した場合（ｂ）の違いを説明する概念図である。
【図５】従来の内照式標識を示した概略斜視図である。
【符号の説明】
【００１６】
１０            ・・・  円形導光板
１０ａ，１０ｂ  ・・・  溝部
１２            ・・・  中央窓部
１４            ・・・  発光源収納窓部
１６ａ，１６ｂ  ・・・  ＬＥＤ（発光ダイオード）アレイ
１８            ・・・  反射シート
２０            ・・・  筐体
２２            ・・・  支柱
３０            ・・・  表示体
【図１】
2006144483.tif 000003
【図２】
2006144483.tif 000004
【図３】
2006144483.tif 000005
【図４】
2006144483.tif 000006
【図５】
2006144483.tif 000007